(57)【特許請求の範囲】
【請求項１】
上方付勢状態で下方移動可能に立設されたステムに装着される有頂筒状の押下部と、
該押下部に前方に向けて突設されるとともに、前端に内容液が吐出される吐出孔が形成されたノズル筒と、
を備える押下ヘッドであって、
前記押下部のうち、少なくとも頂壁は、前記ノズル筒に対して下方に向けて弾性変位可能に配設され、
前記ノズル筒内には、
前記頂壁に連結されて該頂壁の下方移動に伴い前方に移動する突き出し延体と、
前記突き出し延体を、上下方向および前後方向の双方向に直交する左右方向の両側から支持する支持体と、が配設されていることを特徴とする押下ヘッド。
【請求項２】
請求項１記載の押下ヘッドであって、
前記押下部の頂壁および突き出し延体は、軟材質により一体に形成され、前記押下部の頂壁は、前記ノズル筒の内部とステムの内部とを接続する接続通路の一部を画成していることを特徴とする押下ヘッド。
【請求項３】
請求項１または請求項２記載の押下ヘッドであって、
前記支持体は、ノズル筒の内部に、左右方向に間隔をあけて配置されて前後方向に延設された一対の板体により構成されていることを特徴とする押下ヘッド。
【発明の詳細な説明】
【技術分野】
【０００１】
本発明は、押下ヘッドに関するものである。
【背景技術】
【０００２】
従来から、上方付勢状態で下方移動可能に立設されたステムに装着される有頂筒状の押下部と、該押下部に前方に向けて突設されるとともに、前端に内容液が吐出される吐出孔が形成されたノズル筒と、を備える押下ヘッドが知られている。
この種の押下ヘッドとして、例えば下記特許文献１に示されるような、ノズル筒の内部に、内容液の流動によって前後動させられ吐出孔を開閉する栓体が配設された構成が知られている。
【先行技術文献】
【特許文献】
【０００３】
【特許文献１】実開平５−８１０５２号公報
【発明の概要】
【発明が解決しようとする課題】
【０００４】
しかしながら、前記従来の押下ヘッドでは、吐出孔が栓体により閉じられていても、ノズル筒内に残存した内容液は固化するおそれがあり、また、栓体が内容液の流動によって前後動させられるので、栓体の前後動が不安定になるおそれもあった。
【０００５】
本発明は、このような事情を考慮してなされたもので、ノズル筒内に残存した内容液が固化しても、内容液をつまらせること無く良好に吐出することができる押下ヘッドを提供することを目的とする。
【課題を解決するための手段】
【０００６】
上記課題を解決して、このような目的を達成するために、本発明の押下ヘッドは、上方付勢状態で下方移動可能に立設されたステムに装着される有頂筒状の押下部と、該押下部に前方に向けて突設されるとともに、前端に内容液が吐出される吐出孔が形成されたノズル筒と、を備える押下ヘッドであって、前記押下部のうち、少なくとも頂壁は、前記ノズル筒に対して下方に向けて弾性変位可能に配設され、前記ノズル筒内には、前記頂壁に連結されて該頂壁の下方移動に伴い前方に移動する突き出し延体と、前記突き出し延体を、上下方向および前後方向の双方向に直交する左右方向の両側から支持する支持体と、が配設されていることを特徴とする。
【０００７】
この発明によれば、ノズル筒内に突き出し延体が配設されているので、前回吐出時にノズル筒内に残存した内容液が固化していても、押下ヘッドを押下して内容液を吐出する際に、頂壁の下方移動に伴い突き出し延体が前方に移動させられることによって、ノズル筒内の固化した内容液を、突き出し延体により吐出孔から突き出したり突き崩したりすること等が可能になり、内容液をつまらせること無く良好に吐出することができる。
さらに、突き出し延体が押下部の頂壁に連結されているので、押下部に加えた押下力を突き出し延体に効果的に伝え易くすることが可能になり、突き出し延体を確実に前後動させることができる。
また、ノズル筒の内部に支持体が配設されているので、突き出し延体を、例えばノズル筒の内面に突き当てたり折曲変形させたりせずに、押下部の上下動に伴いスムーズに前後動させることができる。
【０００８】
ここで、前記押下部の頂壁および突き出し延体は、軟材質により一体に形成され、前記押下部の頂壁は、前記ノズル筒の内部とステムの内部とを接続する接続通路の一部を画成してもよい。
【０００９】
この場合、押下部の頂壁が、ノズル筒の内部とステムの内部とを接続する接続通路の一部を画成しているので、押下部を押下してその頂壁を下方に弾性変位させつつ内容液を吐出した後に、押下を解除して押下部の頂壁を上方に復元変位させたときに、接続通路内が負圧になり、ノズル筒内の内容液をステム側に引き込み易くすることが可能になり、ノズル筒内の内容液が吐出孔から垂れ落ちるのを抑制することができるとともに、ノズル筒内の内容液の残存量を低減することができる。
また、押下部の頂壁および突き出し延体が、軟材質により一体に形成されているので、構造を複雑にすることなく前述の作用効果を奏功させることができる。
【００１２】
さらに、前記支持体は、ノズル筒の内部に、左右方向に間隔をあけて配置されて前後方向に延設された一対の板体により構成されてもよい。
【００１３】
この場合、支持体が一対の板体により構成されているので、突き出し延体における支持体との接触箇所を少なく抑えることにより、ノズル筒内の内容液が固化しても、突き出し延体が支持体に密着するのを抑制することが可能になり、押下部の下方移動に伴い突き出し延体を確実に前方に移動させることができる。
【発明の効果】
【００１４】
本発明に係る押下ヘッドによれば、ノズル筒内に残存した内容液が固化しても、内容液をつまらせること無く良好に吐出することができる。
【図面の簡単な説明】
【００１５】
【図１】本発明に係る一実施形態として示した押下ヘッドを吐出器本体に装着した状態を示す一部断面側面図である。
【図２】図１に示す押下ヘッドのＡ−Ａ線矢視断面図である。
【図３】図１に示す押下ヘッドを押下した状態を示す一部断面側面図である。
【発明を実施するための形態】
【００１６】
以下、図面を参照し、本発明の実施の形態について説明する。
本実施形態に係る押下ヘッド１は、図１および図３に示すように、上方付勢状態で下方移動可能に立設されたステム１１に装着される有頂筒状の押下部１２と、該押下部１２に前方に向けて突設されるとともに、前端に内容液が吐出される吐出孔１３が形成されたノズル筒１４と、を備えている。
【００１７】
ここで、押下ヘッド１が装着されるステム１１を有する吐出器本体２は、内容液が充填された容器の口部に装着される装着キャップ５１と、装着キャップ５１の上端に設けられ、押下ヘッド１およびステム１１を下降端位置に保持する保持筒５２と、装着キャップ５１に取り付けられ該装着キャップ５１から下方に突出するシリンダ５３と、内部がシリンダ５３内に連通するとともに該シリンダ５３内から上方に起立した前記ステム１１と、シリンダ５３内に配設されるとともにステム１１に連係する図示されないピストンと、を備えている。
【００１８】
以上の構成において、装着キャップ５１、保持筒５２、ステム１１、および押下部１２それぞれの中心軸は共通軸上に位置している。以下、この共通軸を中心軸Ｏといい、中心軸Ｏに直交する方向を径方向といい、さらに中心軸Ｏ回りに周回する方向を周方向という。また、径方向のうち、押下部１２からノズル筒１４が延在する方向を前方といい、これと反対側を後方という。
【００１９】
押下部１２は、ステム１１に外嵌された嵌合筒１５と、嵌合筒１５を径方向の外側から囲繞する囲繞筒１６と、これらの両筒１５、１６の上端縁同士を連結する連結環板１７と、嵌合筒１５および連結環板１７を上方から一体に覆う天板部１８と、を備えている。
【００２０】
嵌合筒１５の下部の外周面には、吐出器本体２の保持筒５２に螺着される雄ねじ部１５ａが形成され、上部の外周面には、上下方向に延びる突リブ１５ｂが周方向に間隔をあけて複数形成されている。嵌合筒１５に、ノズル筒１４の後端が接続されていて、ノズル筒１４の内部は、嵌合筒１５の内部を通してステム１１の内部に連通している。
囲繞筒１６は、ノズル筒１４により前後方向に貫かれ、このノズル筒１４の前端に吐出孔１３が形成されている。
連結環板１７の外周縁部には、上方に向けて支持筒体２１が突設されている。
【００２１】
天板部１８は、上方から下方に向かうに従い漸次縮径された多段の有頂筒状に形成されている。
ここで、ノズル筒１４、嵌合筒１５、囲繞筒１６、および連結環板１７は、例えばポリプロピレン等の一般的な樹脂材料で一体に形成され、これら１４〜１７と天板部１８とは別体となっている。
図示の例では、天板部１８は、例えばニトリルゴム、ブチルゴム、シリコンゴム、熱可塑性エラストマー若しくはウレタン等の軟材質により２段の有頂筒状に形成され、下側に位置する下側筒部２２が、連結環板１７の支持筒体２１内に嵌合されている。下側筒部２２の下部には、径方向の外側に突出して下方に向けて延在し、支持筒体２１に外嵌された被支持筒体２３が配設されている。なお、被支持筒体２３は、支持筒体２１にアンダーカット嵌合されている。
【００２２】
天板部１８のうち、上側に位置する上側筒部２４は有頂筒状に形成され、嵌合筒１５の上端開口を覆う頂壁１８ａを有している。この上側筒部２４の下端と、下側筒部２２の上端と、の間には、環板部２５が配設されていて、この環板部２５と、上側筒部２４の下端、および下側筒部２２の上端と、が弾性ヒンジ２６を介して各別に連結されている。
これにより、押下部１２を押下すると、弾性ヒンジ２６が弾性変形することで、押下部１２のうち、少なくとも頂壁１８ａがノズル筒１４に対して下方に向けて弾性変位し、この押下を解除すると弾性ヒンジ２６が復元変形することで上方に復元変位するようになっている。また図示の例では、押下部１２を押下すると、ステム１１が上方付勢力に抗して下方移動する前に、頂壁１８ａがノズル筒１４に対して下方移動するようになっている。
【００２３】
ここで、連結環板１７のうち、ノズル筒１４が直下に位置する前側部分には、ノズル筒１４の内部に向けて開口し、該ノズル筒１４の内部と押下部１２の天板部１８の内側とを連通する連通開口１９が形成されている。これにより、押下部１２の天板部１８は、ノズル筒１４の内部とステム１１の内部とを接続する接続通路の一部を画成している。なお、連通開口１９は、ノズル筒１４の内部と嵌合筒１５の内部とを前後方向に連通する接続開口２０と一体に形成されている。さらに図示の例では、連通開口１９および接続開口２０は、嵌合筒１５の上端開口と一体に形成されている。
【００２４】
そして本実施形態では、ノズル筒１４内に、押下部１２の頂壁１８ａに連結されて該頂壁１８ａの下方移動に伴い前方に移動する突き出し延体３０が配設されている。
図示の例では、突き出し延体３０は、前後方向に延在しかつ弾性変形自在に形成された中実の棒体となっている。また、押下部１２の頂壁１８ａおよび突き出し延体３０は、前述の軟材質により一体に形成されている。突き出し延体３０は、天板部１８の頂壁１８ａから下方に延在し、嵌合筒１５の上端開口および接続開口２０を通してノズル筒１４内に至っている。
【００２５】
ここで、突き出し延体３０は、ノズル筒１４内を前後動する際に、嵌合筒１５において、その上端開口および接続開口２０が位置する上端部の内周面のうち、上下方向および前後方向の双方向に直交する左右方向で対向する対向部分を摺動するようになっている。
そして、突き出し延体３０の前端は、吐出孔１３よりも後方に位置していて、押下部１２を押下して内容液を吐出するときに、吐出孔１３に到達するようになっている。なお、図示の例では、突き出し延体３０は、押下部１２の押下時に、前端が、吐出孔１３の開口面上に位置するように配設されている。
ここで、押下部１２を押下すると、前述したように、ステム１１が下方移動する前に、頂壁１８ａがノズル筒１４に対して下方移動するようになっているので、押下部１２の押下時には、容器内の内容液がステム１１の上端開口から流出する前に、突き出し延体３０が前方に移動されるようになっている。
【００２６】
ノズル筒１４の内部には、突き出し延体３０を左右方向の両側から支持する支持体３１が配設されている。突き出し延体３０は、ノズル筒１４内を前後動するときに、支持体３１上を摺動するようになっている。また支持体３１は、図２に示されるように、ノズル筒１４の内部に、左右方向に間隔をあけて配置されて前後方向に延設された一対の板体により構成されている。
なお、支持体３１の前後方向の端部は、前後方向の内側から外側に向かうに従い漸次、上方に向けた突出高さが低くなっている。また、支持体３１の前端部は、後端部よりもノズル筒１４の内面から急峻に上方に向けて突出している。さらに、支持体３１の前端は、吐出孔１３よりも後方に位置し、支持体３１の後端は、ノズル筒１４の後端に位置している。
また、嵌合筒１５の上端部の内周面における前記対向部分を、支持体３１と左右方向で同じ位置に配置することが好ましい。
【００２７】
以上説明したように、本実施形態による押下ヘッド１によれば、ノズル筒１４内に突き出し延体３０が配設されているので、前回吐出時にノズル筒１４内に残存した内容液が固化していても、押下ヘッド１を押下して内容液を吐出する際に、頂壁１８ａの下方移動に伴い突き出し延体３０が前方に移動させられることによって、ノズル筒１４内の固化した内容液を、突き出し延体３０により吐出孔１３から突き出したり突き崩したりすること等が可能になり、内容液をつまらせること無く良好に吐出することができる。
さらに本実施形態では、押下部１２を押下すると、まず突き出し延体３０が前方に移動され、その後に、容器内の内容液がステム１１内を通してノズル筒１４内に到達するので、ノズル筒１４内に固化した内容液があったとしても、まずこれを吐出孔１３から突き出す等した後に、内容液をノズル筒１４内に至らせることが可能になり、より一層確実に良好な吐出を実現することができる。
さらに、突き出し延体３０が押下部１２の頂壁１８ａに連結されているので、押下部１２に加えた押下力を突き出し延体３０に効果的に伝え易くすることが可能になり、突き出し延体３０を確実に前後動させることができる。
【００２８】
また、押下部１２の頂壁１８ａが、ノズル筒１４の内部とステム１１の内部とを接続する接続通路の一部を画成しているので、押下部１２を押下してその頂壁１８ａを下方に弾性変位させつつ内容液を吐出した後に、押下を解除して押下部１２の頂壁１８ａを上方に復元変位させたときに、接続通路内が負圧になり、ノズル筒１４内の内容液をステム１１側の後方に引き込み易くすることが可能になり、ノズル筒１４内の内容液が吐出孔１３から垂れ落ちるのを抑制することができるとともに、ノズル筒１４内の内容液の残存量を低減することができる。
また、押下部１２の頂壁１８ａおよび突き出し延体３０が、軟材質により一体に形成されているので、構造を複雑にすることなく前述の作用効果を奏功させることができる。
【００２９】
さらに、ノズル筒１４の内部に支持体３１が配設されているので、突き出し延体３０を、例えばノズル筒１４の内面に突き当てたり折曲変形させたりせずに、押下部１２の上下動に伴いスムーズに前後動させることができる。
また、支持体３１が一対の板体により構成されているので、突き出し延体３０における支持体３１との接触箇所を少なく抑えることにより、ノズル筒１４内の内容液が固化しても、突き出し延体３０が支持体３１に密着するのを抑制することが可能になり、押下部１２の下方移動に伴い突き出し延体３０を確実に前方に移動させることができる。
【００３０】
なお、本発明の技術的範囲は前記実施の形態に限定されるものではなく、本発明の趣旨を逸脱しない範囲において種々の変更を加えることが可能である。
【００３１】
例えば前記実施形態では、押下部１２の頂壁１８ａおよび突き出し延体３０を一体に形成したが、互いに別体としてもよいし、これらの天板部１８および突き出し延体３０は、例えば硬質の合成樹脂材料等で形成してもよい。また、突き出し延体３０は筒体であってもよい。
また前記実施形態では、突き出し延体３０が前進端位置に位置したときに、その前端を吐出孔１３に至らせるようにしたが、吐出孔１３よりも後方に位置させたままにしてもよく、吐出孔１３よりも前方に位置させるようにしてもよい。
さらに、押下部１２の天板部１８は、前記実施形態に限らず適宜変更してもよい。
また、前記実施形態では、支持体３１として、左右方向に間隔をあけて配置されて前後方向に延設された一対の板体を示したが、例えば、上面に、下方に向けて曲面をなして窪み前後方向に延びる凹条部が形成されたブロック体等としてもよい。
さらに、突き出し延体３０の前端部に、該突き出し延体３０の前後動に伴って吐出孔１３を開閉する栓体を配設し、ノズル筒１４内の内容物が固化することを抑制するようにしてもよい。
また、前記実施形態では、弾性ヒンジ２６が弾性変形することで、押下部１２のうち、少なくとも頂壁１８ａがノズル筒１４に対して上下方向に弾性変位する構成を示したが、これに代えて例えば、頂壁１８ａと、嵌合筒１５若しくは連結環板１７と、の間に、頂壁１８ａを上方付勢状態で下方移動可能に支持する例えばスプリング等の弾性部材を配設してもよい。
【００３２】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３３】
ノズル筒内に残存した内容液が固化しても、内容液をつまらせること無く良好に吐出することができる。
【符号の説明】
【００３４】
１  押下ヘッド
１１  ステム
１２  押下部
１３  吐出孔
１４  ノズル筒
１８ａ  頂壁
３０  突き出し延体
３１  支持体
【図１】
0005723738.tif 000002
【図２】
0005723738.tif 000003
【図３】
0005723738.tif 000004